(57)【特許請求の範囲】
【請求項１】
腕の肘または脚の膝の内側の止血すべき患部を露出して腕の肘部分または脚の膝部分に巻付可能な固定用ホルダーと、この固定用ホルダーに取付けられ、肘または膝を通り腕または脚の長手方向に延在する固定部材と、止血すべき患部と対向して固定用ホルダーに着脱自在に係止される係止カバーと、係止カバーの内側に配設され、流動体を注入することにより膨張して止血すべき患部を圧迫するバルーンとを具備したことを特徴とする圧迫止血具。
【請求項２】
上記固定用ホルダーと上記係止カバーの係止を、固定用ホルダーおよび係止カバーに互いに設けられている面ファスナーによって行なうとともに、固定用ホルダーの面ファスナーの面積が係止カバーの面ファスナーの面積よりも大きくされていて、係止カバーの係止位置の微調整を可能としていることを特徴とする請求項１記載の圧迫止血具。
【請求項３】
上記バルーン、上記係止カバーおよびこの係止カバーの内表面に設けられているバルーンの圧力を止血すべき患部に効果的に作用させるための圧迫プレートが透明であることを特徴とする請求項１または２記載の圧迫止血具。
【発明の詳細な説明】
【０００１】
【発明の属する技術分野】
本発明は、例えば血管カテーテル検査に際してカテーテルを抜去した直後にカテーテル穿刺部からの出血を止めるために用いる圧迫止血具に関するものである。
【０００２】
【従来の技術】
カテーテルを血管に穿刺して行なう血管カテーテル検査の場合、上記カテーテルを抜去した直後に血液がこのカテーテル穿刺部から噴出するため、相当長時間に亘ってカテーテル穿刺部を圧迫して止血する必要がある。
【０００３】
本出願人は、血管カテーテル検査後のカテーテル穿刺部を止血するため、特願平４−２０７９３号等において、非伸縮性もしくは低伸縮性の繊維あるいはフィルム等からなる帯体の所定位置に流動体を注入することにより膨張するバルーンを設け、このバルーンの膨張を利用してカテーテル穿刺部を圧迫するようにした圧迫止血ベルトを提案している。この圧迫止血ベルトによれば、バルーンの膨張を利用してカテーテル穿刺部を圧迫するため、カテーテル穿刺部のみを圧迫することができるとともに、その圧迫力の調整が可能であり、しかも、その圧迫力を長時間に亘って保持することも可能である。
【０００４】
【発明が解決しようとする課題】
ところで、上記圧迫止血ベルトは、大腿部の血管カテーテル検査後における穿刺部の止血を主眼としている。しかしながら、血管カテーテル検査は大腿部以外に肘の内側でも行なわれる場合があり、上記圧迫止血ベルトを肘の内側の血管カテーテル検査後における穿刺部の止血に用いると、肘が曲った際にバルーンが穿刺部から浮き上がったり、バルーンの位置ずれが生じて穿刺部の圧迫が不十分になるという問題があった。
【０００５】
本発明は、上記課題に鑑みてなされたもので、肘または膝の内側の止血すべき患部を長時間に亘って確実に圧迫し得る圧迫止血具を提供することを目的とする。
【０００６】
【課題を解決するための手段】
前述の目的を達成するために、本発明は、腕の肘または脚の膝の内側の止血すべき患部を露出して腕の肘部分または脚の膝部分に巻付可能な固定用ホルダーと、この固定用ホルダーに取付けられ、肘または膝を通り腕または脚の長手方向に延在する固定部材と、止血すべき患部と対向して固定用ホルダーに着脱自在に係止される係止カバーと、係止カバーの内側に配設され、流動体を注入することにより膨張して止血すべき患部を圧迫するバルーンとを具備したものである。
【０００７】
本発明によれば、固定部材により肘または膝の曲がりが防止され、止血すべき患部からのバルーンの浮き上がりや位置ずれを回避できて止血すべき患部を長時間に亘って確実に圧迫することができる。
【０００８】
また、本発明の第２の発明は、上記固定用ホルダーと上記係止カバーの係止を、固定用ホルダーおよび係止カバーに互いに設けられている面ファスナーによって行なうとともに、固定用ホルダーの面ファスナーの面積が係止カバーの面ファスナーの面積よりも大きくされていて、係止カバーの係止位置の微調整を可能としていることを特徴とし、第３の発明は、上記バルーン、上記係止カバーおよびこの係止カバーの内表面に設けられているバルーンの圧力を止血すべき患部に効果的に作用させるための圧迫プレートが透明であることを特徴とする。
【０００９】
また、本発明によれば、バルーン、係止カバーおよび圧迫プレートが透明であることにより、止血すべき患部を観察しながらバルーンを止血すべき患部に当接することができ、しかも、係止カバーの係止位置の微調整が可能であるから、バルーンをその中央部を患部に正確に当接して取付けることができ、効果的な圧迫が行なえる。
【００１０】
【発明の実施の形態】
以下、本発明の実施の形態を図１乃至図７に基いて説明する。
【００１１】
図１は肘の内側の止血に適用した本発明の圧迫止血具の一例を示し、この圧迫止血具は、腕の肘部分に着脱自在に取付ける固定用ホルダー１と、この固定用ホルダー１に係止される係止カバー２と、この係止カバー２の内表面の所定位置に取付ける流動体を注入することにより膨張するバルーン３とを具備している。
【００１２】
固定用ホルダー１は、非伸縮性もしくは低伸縮性の繊維布で形成されるが、通気性を確保するためにメッシュ生地、例えばサイロンメッシュ生地で形成するのが望ましい。この固定用ホルダー１は、図１（ａ）で示す側を外表面として、腕の肘部分に巻付けて取付けたときにその両側部の突き合せ部分に開口が形成されるように、両側部の中央部に切欠き部１ａ，１ａをそれぞれ設けている。また、固定用ホルダー１の内表面（図１（ａ）の反対側面）は、生地のままの滑らかな面にされている。この固定用ホルダー１の外表面の中央部には、その横幅一杯に係止手段、例えば細かい繊維のフックが密生された面ファスナー４が取付けられるとともに、縦幅一杯に金属（例えばアルミ）、竹、木、合成樹脂等の剛性を有する固定部材５が取付用布片１６によって被覆された状態で取付けられる。更に、この固定用ホルダー１の外表面の上下端部には、一方側部にその外表面に係止手段、例えば細かい繊維のフックとループとが混合して密生された面ファスナー６，６を備えているバンド７，７が取付けられるとともに、他方側部にバンド７，７，を挿通し得るバックル８，８が取付けられる。
【００１３】
係止カバー２は、非伸縮性もしくは低伸縮性のシートで形成されるが、肘の内側の患部を観察し得るようにするために透明な塩化ビニールシートで形成するのが望ましい。この係止カバー２の内表面の中央部には、バルーン３の圧力を肘の内側の止血すべき患部に効果的に作用させるための圧迫プレート９が取付けられるとともに、内表面の両側部には固定用ホルダー１の面ファスナー４に対する係止手段、例えば細かい繊維のループが密生された面ファスナー１０，１０がそれぞれ取付けられる。圧迫プレート９は、合成樹脂等の硬質材料で形成されるが、肘の内側の患部を観察し得るようにするために透明なアクリル板で形成するのが望ましい。そして、この係止カバー２の面ファスナー１０，１０よりも固定用ホルダー１の面ファスナー４が図１（ａ）で上下方向に幅広にされていて、係止カバー２の図１（ａ）で上下方向の係止位置の微調整を可能としている。
【００１４】
バルーン３は、例えばゴム、塩化ビニール、ポリエチレン等で形成されるが、肘の内側の患部を観察し得るようにするためにポリエステル系可塑剤を用いた透明な塩化ビニールで形成するのが望ましい。このバルーン３には内部に流動体を注入するための注入管１１が取付けられるとともに、この注入管１１には逆止弁１２が着脱自在に取付けられるようになっている。そして、この逆止弁１２には圧力計１３を備えている加圧ポンプ１４が着脱自在に接続されるようになっており、加圧ポンプ１４により流動体、例えば空気を逆止弁１２、注入管１１を介してバルーン３に注入して当該バルーン３を膨張させるようになっている。
【００１５】
次に、本発明の圧迫止血具により肘の内側の患部を止血するには、先ず、腕の肘部分に固定用ホルダー１を取付ける。即ち、図２（ａ）に示すように、固定用ホルダー１を腕の肘部分の周りに腕外側から腕内側へ巻付けるとともに、バンド７，７をバックル８，８に挿通させて締付けながら折り返すことにより、バンド７，７がその外表面に備えられた面ファスナー６，６によりバックル８，８に纏付いた状態で係止され、固定用ホルダー１が腕の肘部分に取付けられる。このとき、固定部材５は腕の長手方向に沿い、かつ、その中央部が肘部分と対応して位置決めされる。また、固定用ホルダー１の両側部の突き合せ部分には、その両側部にそれぞれ設けられた切欠き部１ａ，１ａにより開口が形成され、この開口から肘の内側の止血すべき患部が露出している状態である。なお、肘の内側の止血すべき患部には、一次止血が施された後、ガーゼが当てられ、このガーゼが紙絆創膏により軽く止められている。
【００１６】
このようにして腕の肘部分に固定用ホルダー１を取付けると、バルーン３を係止カバー２の圧迫プレート９に貼り付けた後、図２（ｂ）に示すように、バルーン３の中央部が肘の内側の止血すべき患部に当接するようにして、係止カバー２の両端部を肘部分の周りに腕内側から腕外側へ巻付けながら両側部の面ファスナー１０，１０を固定用ホルダー１の面ファスナー４に係止することにより、係止カバー２を固定用ホルダー１に係止してバルーン３を固定用ホルダー１に取付ける。
【００１７】
このようにしてバルーン３を固定用ホルダー１に取付け、かつ、図２（ｃ）に示すように、バルーン３の注入管１１に逆止弁１２を取付けた後、図２（ｄ）に示すように、逆止弁１２に圧力計１３を備えている加圧ポンプ１４を接続し、圧力計１３を眺めながら加圧ポンプ１４により流動体、例えば空気を逆止弁１２、注入管１１を介してバルーン３に注入することにより、バルーン３を圧迫プレート９により肘の内側の患部と反対側への膨張を抑えながら肘の内側の止血すべき患部側へ膨張させ、このバルーン３の膨張により肘の内側の止血すべき患部を圧迫する。このとき、圧力計１３を眺めながら加圧ポンプ１４によりバルーン３への流動体の注入量を調整することにより、圧迫力を自在に調整することができるとともに、その調整された圧迫力は逆止弁１２によって長時間に亘って維持することが可能である。
【００１８】
本発明の圧迫止血具は、固定用ホルダー１を腕の肘部分に取付けることにより、剛性を有する固定部材５が腕の長手方向に沿い、かつ、その中央部を肘部分と対応して位置決めされるから、肘の曲がりが固定部材５により防止される。これにより、肘の内側の止血すべき患部からのバルーン３の浮き上がりや位置ずれを回避することができ、肘の内側の止血すべき患部を長時間に亘って確実に圧迫することができる。
【００１９】
以上説明した圧迫止血具は、肘の内側の血管カテーテル検査後の止血に適用したものであるが、肘の内側以外、例えば膝の内側の血管カテーテル検査後の止血にも適用することができる。
【００２０】
また、本発明の圧迫止血具は、血管カテーテル検査のみに拘らす、腎臓透析や各種注射針等の挿入傷口の止血にも用いることができる。
【００２１】
【発明の効果】
以上説明したように、本発明によれば、長時間圧迫止血を行なっても止血すべき患部からのバルーンの浮き上がりや位置ずれを回避することができ、止血すべき患部を長時間に亘って確実に圧迫することができる。この結果、効果的な圧迫が行なわれ、患部の回復を早めることができる。
【００２２】
また、バルーン、係止カバーおよび圧迫プレートを透明にするとともに、係止カバーの係止位置の微調整を可能としたことにより、バルーンの中央部を止血すべき患部に正確に当接させてより効果的な圧迫が行なえる。
【図面の簡単な説明】
【図１】本発明の圧迫止血具の各構成部材を示す平面図で、（ａ）は固定用ホルダー、（ｂ）は係止カバー、（ｃ）はバルーン、（ｄ）は逆止弁、（ｅ）は加圧ポンプである。
【図２】本発明の圧迫止血具による患部の止血要領を示す説明図で、（ａ）は腕の肘部分に固定用ホルダーを取付けた状態、（ｂ）は係止カバーを固定用ホルダーに係止することによりバルーンを固定用ホルダーに取付けた状態、（ｃ）はバルーンに逆止弁を取付けた状態、（ｄ）は逆止弁に加圧ポンプを接続して加圧ポンプによりバルーンを膨張する状態である。
【符号の説明】
１    固定用ホルダー
１ａ  切欠き部
２    係止カバー
３    バルーン
４    係止手段（面ファスナー）
５    固定部材
６    係止手段（面ファスナー）
７    バンド
８    バックル
９    圧迫プレート
１０  係止手段（面ファスナー）
１１  注入管
１２  逆止弁
１３  圧力計
１４  加圧ポンプ
【図１】
0003732899.tif 000002
【図２】
0003732899.tif 000003